(57)【要約】【課題】構造が簡単でコスト高にならず、内容器と外装ケースのロックおよびロックの解除が容易に、かつ確実に行えるスライド式容器を提供する。【解決手段】内容物を収納する収納部２４を有し、一端に摘み２１が設けられたトレー２０と、トレーとスライド式に係合し、トレーの摘み以外の部分を収納できる外装ケース１０とを有し、トレーは摘みと収納部の間に嵌合突起２２を有し、外装ケースはトレーが外装ケースに収納されたときに嵌合突起と嵌合する嵌合孔１１を有し、摘みは、スリット２３により二片に分岐された摘み片２１Ａ、２１Ｂからなり、摘み片を摘んでスリットを押し潰すことで嵌合突起と嵌合孔の嵌合が解除される。【選択図】図１
2020007015.tif 000002
【特許請求の範囲】
【請求項１】
内容物を収納する収納部を有し、一端に摘みが設けられたトレーと、
前記トレーとスライド式に係合し、前記トレーの前記摘み以外の部分を収納できる外装ケースとを有し、
前記トレーは前記摘みと前記収納部の間に嵌合突起を有し、
前記外装ケースは前記トレーが前記外装ケースに収納されたときに前記嵌合突起と嵌合する嵌合孔を有し、
前記摘みは、スリットにより二片に分岐された摘み片からなり、
前記摘み片を摘んで前記スリットを押し潰すことで前記嵌合突起と前記嵌合孔の嵌合が解除されることを特徴とするスライド式容器。
【請求項２】
前記嵌合突起の頂部は、前記収納部側が低い斜面となっていることを特徴とする請求項１に記載のスライド式容器。
【請求項３】
前記外装ケースの、前記トレーが収納されたとき前記収納部が対向する側に、窓が開口していることを特徴とする請求項１または２に記載のスライド式容器。
【請求項４】
前記外装ケースに、取付けクリップが取り外し可能に設けられたことを特徴とする請求項１から３のいずれかに記載のスライド式容器。
【請求項５】
請求項１から４のいずれかに記載のスライド式容器の収納部に、芳香剤、徐放性薬剤、消臭剤、防虫剤、防カビ剤、乾燥剤のいずれかを収納したことを特徴とする薬剤収納体。
【発明の詳細な説明】
【技術分野】
【０００１】
本発明は、スライド式容器に関し、特に簡易な構造で容器のロックおよびロックの解除が容易にかつ確実に行えるスライド式容器に関する。
【背景技術】
【０００２】
従来から、物品を収納する収納スペースを有するトレー状の内容器を外装ケースにスライドさせて挿入し、物品を収納することができるスライド式容器が知られている。内容器は、スライドさせることで外装ケースから出し入れ自在とされ、外装ケースは鞘状や蓋状など、様々な形状としたものが知られている。
【０００３】
例えば特許文献１には、第２の収納部を有する内容器が第１の収納部を有する本体とスライド式に係合した容器が開示され、内容器は側部に設けられた凸部を摘んで引き出せる様にしたスライド式容器が開示されている。しかしながら特許文献１に開示されている容器では、内容器と本体は特に固定されないため、例えば落下したときなどに衝撃で内容器が飛び出し、内容物が散逸してしまう虞があった。
【０００４】
この様な問題点に対応するため、内容器と外装ケースを固定する機構を設けたスライド式容器が提案されている。例えば特許文献２には、ノック式スライドケースが開示され、内容器を一度押し込むことで外装ケースにロックされ、再度押し込むことでロックが解除されるようにした機構を設けた容器が開示されている。また、特許文献３には、内容器と外装ケースが嵌合してロックする構造が設けられ、内容器をねじることによりロックを解除できるようにした薬品ケースが開示されている。
【０００５】
しかし、特許文献２のような容器は、ロックのための複雑な機構を容器内部に設ける必要があり、製造に手間がかかりコスト高ともなってしまうという問題があった。また特許文献３の容器では、内容器を引き出すためにねじる動作が必要で、ねじることにより内容器が外装ケースに斜めに押し当てられてかえって引き出し難くなることがあるなど、特に力の弱い使用者には扱いが難しくなってしまうことがあった。
【先行技術文献】
【特許文献】
【０００６】
【特許文献１】特許第５３４２２６１号公報
【特許文献２】特許第４４２５６１８号公報
【特許文献３】特許第５２９５９８１号公報
【発明の概要】
【発明が解決しようとする課題】
【０００７】
本発明は以上の様な従来技術に鑑みなされたもので、構造が簡単でコスト高にならず、内容器と外装ケースのロックおよびロックの解除が容易に、かつ確実に行えるスライド式容器を提供することを目的とする。
【課題を解決するための手段】
【０００８】
上記課題を解決するため、本発明の請求項１に係る発明は、
内容物を収納する収納部を有し、一端に摘みが設けられたトレーと、
前記トレーとスライド式に係合し、前記トレーの前記摘み以外の部分を収納できる外装ケースとを有し、
前記トレーは前記摘みと前記収納部の間に嵌合突起を有し、
前記外装ケースは前記トレーが前記外装ケースに収納されたときに前記嵌合突起と嵌合する嵌合孔を有し、
前記摘みは、スリットにより二片に分岐された摘み片からなり、
前記摘み片を摘んで前記スリットを押し潰すことで前記嵌合突起と前記嵌合孔の嵌合が解除されることを特徴とするスライド式容器である。
【０００９】
また、本発明の請求項２に係る発明は、
前記嵌合突起の頂部は、前記収納部側が低い斜面となっていることを特徴とする請求項１に記載のスライド式容器である。
【００１０】
また、本発明の請求項３に係る発明は、
前記外装ケースの、前記トレーが収納されたとき前記収納部が対向する側に、窓が開口していることを特徴とする請求項１または２に記載のスライド式容器である。
【００１１】
また、本発明の請求項４に係る発明は、
前記外装ケースに、取付けクリップが取り外し可能に設けられたことを特徴とする請求項１から３のいずれかに記載のスライド式容器である。
【００１２】
また、本発明の請求項５に係る発明は、
請求項１から４のいずれかに記載のスライド式容器の収納部に、芳香剤、徐放性薬剤、消臭剤、防虫剤、防カビ剤、乾燥剤のいずれかを収納したことを特徴とする薬剤収納体である。
【発明の効果】
【００１３】
本発明の請求項１に記載の発明によれば、トレーと外装ケースがスライド式に係合する容器であって、通常の成形の工程の中で容易に設けることができる嵌合孔と嵌合突起が、トレーが外装ケースに収納されたときに嵌合することで確実にトレーと外装ケースを固定できるため、容器に衝撃が加わったときなどにもトレーが簡単に抜け落ちてしまうことがなく、かつ、嵌合を解除するときは、外装ケースに収納されていない摘みを摘んでスリットを押し潰すことで、トレーが弾性変形して嵌合が容易に解除され、摘みを持ってトレーを容易に引き出すことができるため、収納部に収納した内容物を取り出したり取り替えたりすることが容易に行えるスライド式容器が提供できる。
【００１４】
また請求項２に記載の発明によれば、トレーを外装ケースに挿入するときは、嵌合突起の頂部が外装ケースに向かう側が低い斜面となっているため外装ケースに衝突し難く、挿入時に自然に弾性変形が生じてスムーズに挿入が行え、嵌合させた後は嵌合突起の摘み側は高さが高いままであるため、嵌合が簡単に外れてしまうことがなく、確実な嵌合が維持できるスライド式容器とすることができる。
【００１５】
また請求項３に記載の発明によれば、開口した窓を通じて収納部と外部が通気可能となり、例えば固形芳香剤や徐放性薬剤などの内容物を収納したときに芳香剤などを窓から揮散させることができ、また消臭剤などであれば外気を導入でき、また収納部に収納した内容物の状態を外装ケース外から観察することができるスライド式容器とすることができる。
【００１６】
また請求項４に記載の発明によれば、容器を取付けクリップにより衣服のポケットなどに容易に固定できて携帯に便利であり、収納時には取付けクリップを取り外して効率よく収納できるスライド式容器が得られる。
【００１７】
また請求項５に記載の発明によれば、各種の薬剤の収納、交換が容易に、かつ確実に行
え、また薬剤の携帯、薬剤の揮散や外気の導入を好適に行うこともできる薬剤収納体が得られる。
【図面の簡単な説明】
【００１８】
【図１】本発明のスライド式容器の一形態の外観図である。
【図２】嵌合突起の別形態を例示する図である。
【図３】本発明のスライド式容器からトレーを引き出す様子の説明図である。
【図４】本発明のスライド式容器から取付けクリップを取り外した態様の外観図である。
【図５】窓の別形態を例示する図である。
【図６】摘みの別形態を例示する図である。
【発明を実施するための形態】
【００１９】
以下、本発明の実施の形態を、図面を参照しながら詳細に説明する。なお本発明は以下に説明する実施形態に限定されるものではない。
【００２０】
図１は、本発明のスライド式容器の一形態の外観図である。図１（ａ）は平面図、図１（ｂ）は正面図である。本発明のスライド式容器１は、一端が開口し、他端が閉塞した筒状の外装ケース１０と、内容物を収納する収納部２４と端部に摘み２１を有するトレー２０で構成される。外装ケース１０は、開口した一端、すなわちトレー２０が挿入される側の端部の近傍に、嵌合孔１１を有している。
【００２１】
また、窓１２が設けられ、内部を見通すことができ、内容物の状態を目視できる様になっている。また、内容物が芳香剤などの場合には、内容物が揮散する放出口となり、消臭剤などの場合は外気の吸収口ともなる。さらに、窓１２の反対側に取付けクリップ１３が設けられており、取付けクリップ１３で例えば衣服のポケットなどの縁を挟むことでスライド式容器１を取り付けることができ、容器の携帯に便利な様になっている。取付けクリップ１３は外装ケース１０から取り外すこともできる。
【００２２】
トレー２０は、内容物を収納できるように凹んだ平面となっている収納部２４を有し、一端に外装ケース１０に挿入されない摘み２１が設けられている。収納部２４と摘み２１の間に嵌合突起２２が突出している。嵌合突起２２と嵌合孔１１は、平面形状が略同一の形状で、例えば図１に例示したような円形で、トレー２０が外装ケース１０に収納されたときに嵌合する位置にそれぞれ設けられている。トレー２０は、外装ケース１０の開口した一端からスライドさせながら挿入することで、摘み２１以外の部分を外装ケース１０に収納できるようになっている。
【００２３】
摘み２１はスリット２３によって上下に分岐し、間隔を空けて設けられた二片の摘み片２１Ａ、２１Ｂからなっている。摘み片２１Ａ、２１Ｂは外装ケース１０の外形に倣った形状で枠状となっており、中央部分２１Ｃは空洞であるため、指で摘んだときに弾性変形し易い態様となっている。またスリット２３は、図１（ｂ）に示す様に、摘み２１の部分からさらに伸びて嵌合突起２２の下方となる部分２３´まで達している。これにより、摘み２１を図の上下方向から摘んだときに嵌合突起２２が沈み込み易くなっている。
【００２４】
図１（ｃ）の様にトレー２０が外装ケース１０に完全に挿入された状態では、外装ケース１０に設けられた嵌合孔１１にトレー２０に設けられた嵌合突起２２が嵌まり込んで嵌合することで、トレー２０が簡単に抜け落ちない様になる。従って嵌合突起２２と嵌合孔１１は外径が略同一で、嵌合孔１１が若干大きめとすると、隙間なく嵌合するため好ましい。それにより、例えば取付けクリップ１３でスライド式容器１を衣服のポケットなどに固定したとき、トレー２０は下方となるが、トレー２０が簡単に抜け落ちる虞がない。
【００２５】
嵌合突起２２の形状は、図１に示した様な柱状で良いが、図２に例示したように、頂部を収納部２４側で低くなるような斜面とした嵌合突起２２´とすることもできる。そうすると、トレー２０を外装ケース１０に挿入する際に、嵌合突起２２´が外装ケース１０の縁に達したときに斜面状の頂部の効果で自然に沈み込んで弾性変形し、使用者が意図的に摘み２１を弾性変形させなくても衝突することなく挿入が進むため挿入し易く、完全に挿入されたときには嵌合突起２２´が嵌合孔１１に嵌合した状態となる。
【００２６】
嵌合後にトレー２０を引き抜こうとすると、嵌合突起２２´の摘み２１側は低くなっていないため、嵌合孔１１としっかり嵌合していて、単に引っ張っただけでは簡単に抜け落ちることはない。
【００２７】
外装ケース１０とトレー２０を構成する材料は、成形性が良く弾性変形可能なものであれば特に限定するものではないが、なかでも硬質のプラスチック樹脂を好適に用いることができ、射出成形などの公知の樹脂成形技術により形成できる。プラスチック樹脂は加工性、強度、弾性、滑り性、コストなどを勘案して適切な材料を選択して用いることができるが、例えばポリプロピレン樹脂、ＡＳ樹脂、ＡＢＳ樹脂、ポリアセタール樹脂、ポリスチレン樹脂、ポリカーボネート樹脂、ポリエチレンテレフタレート樹脂、ポリアミド樹脂、フッ素樹脂などが例示できる。
【００２８】
図３は、本発明のスライド式容器からトレーを引き出す様子の説明図である。図３（ａ）は、トレー２０が外装ケース１０に完全に挿入されている状態であり、嵌合突起２２が嵌合孔１１に嵌合している。摘み２１にはスリット２３で間隔を空けられて分岐された摘み片２１Ａ、２１Ｂが外装ケース１０の外形に倣った形状で枠状に設けられている。窓１２からは収納部２４に内容物が収納されているか否か、またその量や状態を目視にて確認が行える。
【００２９】
トレー２０を引き出すには、図３（ｂ）の様に、摘み２１を図の白矢印の方向から摘んで力を加えることにより、摘み２１は弾性変形し、嵌合突起２２の部分まで伸びているスリット２３の部分が潰れることにより、嵌合突起２２が嵌合孔１１から抜け、嵌合が解除される。このとき摘み片２１Ａ、２１Ｂをさらに変形させて上下方向に潰しても良く、そうすることで嵌合の解除をより確実なものとすることができる。
【００３０】
その後、摘み２１を摘んだまま黒矢印方向に引くことで、図３（ｃ）に示す様にトレー２０を外装カバー１０から無理なく引き出すことができ、収納部２４に収納された内容物２５を取り出す、交換する、新たに収納するなどの操作が容易に行える。内容物２５は特に限定されないが、典型的には固形の芳香剤、徐放性薬剤、消臭剤、防虫剤、防カビ剤、乾燥剤などを好適に収納できる。また液状の薬剤を不織布などの担体に含浸させた態様のものでも良い。
【００３１】
図４は、本発明のスライド式容器から取付けクリップ１３を取り外した態様の外観図であり、（ａ）正面図、（ｂ）取り外した取付けクリップ１３と外装ケース１０を側面側から見た図、（ｃ）平面図（但し、分かり易さのために外装ケース１０に対して取付けクリップ１３は反対面側を示している。）である。取付けクリップ１３は、外装ケース１０の側面側から側板１３ＡとＴ字足１３Ｂが嵌め込まれて固定されており、白矢印で示した方向に引き抜いて取り外すことができる。取付けクリップ１３に隠れる部分には第２の窓１４を設けても良く、内容物の揮散性などを高めることができる。取付けクリップ１３を取り外すと形態をよりコンパクトにでき、収納時の効率が良い。
【００３２】
図５は、窓の別形態を例示する図である。窓１２の形状は、上記に例示したものに限られず、（ａ）複数のスリット状、（ｂ）格子窓状、（ｃ）ダイヤ形、（ｄ）連珠形など、
内容物の特性や用途に合わせた形状のものを設けることができる。また、嵌合突起２２、嵌合孔１１の平面形状は、上述に例示した様な円形に限らず、図５（ａ）に例示した様な矩形などの多角形状でも良い。
【００３３】
図６は、摘みの別形態を例示する図である。摘み２１は、中央付近を摘むと、嵌合突起２２の部分の変形をより容易に大きくできて嵌合の解除をし易いため、使用者が中央付近を摘むのを促すように中央付近を膨出させた形状とした例である。
【００３４】
以上説明したように、本発明のスライド式容器によれば、複雑なロック機構が不要で構造が簡単なためコスト高にならず、トレーと外装ケースのロックおよびロックの解除が容易に、かつ確実に行えるスライド式容器および薬剤収納体を提供できる。
【符号の説明】
【００３５】
１・・・スライド式容器
１０・・・外装ケース
１１・・・嵌合孔
１２・・・窓
１３・・・取付けクリップ
１３Ａ・・・側板
１３Ｂ・・・Ｔ字足
１４・・・第２の窓
２０・・・トレー
２１・・・摘み
２１Ａ、２１Ｂ・・・摘み片
２２・・・嵌合突起
２３・・・スリット
２４・・・収納部
２５・・・内容物
【図１】
2020007015.tif 000003
【図２】
2020007015.tif 000004
【図３】
2020007015.tif 000005
【図４】
2020007015.tif 000006
【図５】
2020007015.tif 000007
【図６】
2020007015.tif 000008